(57)【要約】【課題】スクリーンを交換する労力や費用をかけず、しかも各スクリーンが別々の巻取り軸に巻取られることなく、１つのスクリーンのみが巻取り軸に巻取られる簡易な構成で、異なるスクリーンに簡単に変換可能な巻取り式スクリーン装置を安価に提供する。【解決手段】巻取り軸４に第１のスクリーン６の一端を固定し、スクリーン６に重ねて巻取り軸４に第２のスクリーン８を巻掛ける。スクリーン６とスクリーン８の先端に第１の可動桟１０を取付け、その両端をガイド枠１２，１４の第１のガイド溝１２Ａ，１４Ａにガイドさせる。スクリーン８の他方の端部に第２の可動桟１６を取付け、その両端をガイド枠１２，１４の第２のガイド溝１２Ｂ，１４Ｂにガイドさせる。両スクリーン６，８をスクリーン８のみが展張される状態とスクリーン６にスクリーン８を重ねて展張される状態とに変換可能とする。【選択図】図２
2008179958.tif 000002
【特許請求の範囲】
【請求項１】
スクリーンボックス内に回転自在に支持された巻取り軸に第１のスクリーンの一端を固定するとともに、該第１のスクリーンの外側に重ねた状態で上記巻取り軸に第２のスクリーンを巻掛け、該巻取り軸から導出される第１のスクリーンとそれに重なる第２のスクリーンの先端に第１の可動桟を取付け、その可動桟の両端を両スクリーンの導出方向の両側に配設した一対のガイド枠における第１のガイド溝にガイドさせるとともに、上記巻取り軸に巻掛けた第２のスクリーンの他方の端部に第２の可動桟を取付けて、その可動桟の両端を上記ガイド枠における第２のガイド溝にガイドさせ、
上記第１及び第２のスクリーンを、該第１のスクリーンの巻取り軸に対する巻取り及び繰出しに応じて、上記第２のスクリーンのみが展張されている状態と、上記第１のスクリーンの外側に第２のスクリーンを重ねた状態で両スクリーンが展張されている状態とに変換可能に構成した、
ことを特徴とする巻取り式スクリーン装置。
【請求項２】
上記第２の可動桟の下面、又は該下面に対向する開口枠面に、上記第２のスクリーンが上記第１のスクリーンの巻取りによって大径化した巻取り軸に巻掛けられた状態において、上記第２の可動桟と上記開口枠下面との間に形成される隙間を遮蔽するための遮蔽部材を付設した、
ことを特徴とする請求項１に記載の巻取り式スクリーン装置。
【請求項３】
スクリーンボックス内に回転自在に支持された巻取り軸に第１のスクリーンの一端を固定するとともに、上記巻取り軸の上方に平行して支持された巻掛け軸に上記第１のスクリーンの外側に位置する状態で第２のスクリーンを巻掛け、上記巻取り軸から導出される第１のスクリーンとそれに重なる第２のスクリーンの先端に第１の可動桟を取付け、その可動桟の両端を両スクリーンの導出方向の両側に配設した一対のガイド枠における第１のガイド溝にガイドさせるとともに、上記巻掛け軸に巻掛けた第２のスクリーンの他方の端部に第２の可動桟を取付けて、その可動桟の両端を上記ガイド枠における第２のガイド溝にガイドさせ、
上記第１及び第２のスクリーンを、該第１のスクリーンの巻取り軸に対する巻取り及び繰出しに応じて、上記第２のスクリーンのみが展張されている状態と、上記第１のスクリーンの外側に第２のスクリーンを重ねた状態で両スクリーンが展張されている状態とに変換可能に構成した、
ことを特徴とする巻取り式スクリーン装置。
【請求項４】
上記巻取り軸に上記第１のスクリーンを巻取る回転付勢力をもたせたコイルスプリングを内蔵させ、
上記第１及び第２の可動桟の自重を上記巻取り軸におけるコイルスプリングの回転付勢力とバランスさせることにより、該第１及び第２の可動桟を連動させた状態で任意位置に停止可能とした、
ことを特徴とする請求項１〜３のいずれかに記載の巻取り式スクリーン装置。
【請求項５】
上記巻取り軸の少なくとも一方の端部側において、該巻取り軸の端部とガイド枠の下端部とに設けた転輪間にループ状のワイヤー部材を架設するとともに、該ワイヤー部材を上記第１及び第２の可動桟の端部に固定することにより、それらの可動桟の移動に対して上記巻取り軸の回転を連動可能に構成し、
上記第１及び第２の可動桟の自重の調整により該第１及び第２の可動桟を連動させた状態で任意位置に停止可能とした、
ことを特徴とする請求項１〜３のいずれかに記載の巻取り式スクリーン装置。
【請求項６】
上記第１のスクリーンを花粉を殆ど透過させないメッシュの細かい花粉除けスクリーンで構成し、上記第２のスクリーンを防虫ネットで構成した、
ことを特徴とする請求項１〜５のいずれかに記載の巻取り式スクリーン装置。
【発明の詳細な説明】
【技術分野】
【０００１】
本発明は、巻取り軸に巻取られる第１のスクリーンと、該第１のスクリーンの外側に重なる第２のスクリーンとを備え、上記第１のスクリーンの巻取り軸に対する巻取り及び繰出しに応じて、上記第２のスクリーンのみが展張されている状態と、上記第１のスクリーンの外側に第２のスクリーンを重ねた状態で両スクリーンが展張されている状態とに変換可能とした建物開口部用の巻取り式スクリーン装置に関するものである。
【背景技術】
【０００２】
スクリーンボックスに回転自在に支持された巻取り軸にスクリーンを巻取り及び繰出し可能に巻回した巻取り式スクリーン装置は、特に例示するまでもなく一般に広く知られている。概して、この種のスクリーン装置では、目隠し、遮光、断熱、花粉除け、あるいは防虫等の所定の機能のうちのいずれかの機能を備えた１種類のスクリーンが取り付けられているため、例えば、当該スクリーン装置が防虫機能を備えたスクリーンを備えている場合において、花粉が飛散する季節にメッシュの細かい花粉除けの機能を備えたスクリーンを使用したい場合には、スクリーンを巻付けた巻取り軸ごと、若しくは巻取り軸を支持しているスクリーンボックスごと交換するか、又はスクリーン装置を設置した建物開口部に、花粉除け用のスクリーン装置を別途設置する必要があり、既設のスクリーン装置におけるスクリーンの機能とは別の機能を使用するためには、少なからず労力と費用がかかるという問題点があった。しかも、別途スクリーン装置を設置するためには、建物開口部に該スクリーン装置を設置することができるだけのスペースが必要であるうえに、建物開口部に複数のスクリーン装置を設置することは、建物開口部の外観を雑然とさせるだけでなく、その美観を損ねる虞がある。
【０００３】
上述のような問題点を解決するものとして、特許文献１及び特許文献２には、別々の機能を有する２つのスクリーンを必要に応じて切り換えて張設可能とした巻取り式スクリーン装置について記載されている。この既知の巻取り式スクリーン装置は、プラスチックフィルムからなるスクリーンの下端に網目状のスクリーンを連結することにより形成したスクリーンを備え、必要に応じてそれらの２つのスクリーンを使い分けられるようにした点で極めて有効なものであるが、２つのスクリーンをそれぞれ別々の巻取り軸で巻取るように構成しているため、当該スクリーン装置を構成する部材の点数が多く、各スクリーンをそれぞれに対応する巻取り軸に巻取らせるための構造が複雑で必ずしも組立てが容易とはいえないものであり、その結果、当該スクリーン装置が高価になってしまう虞がある。
【特許文献１】実公昭６４−２９３２号公報
【特許文献２】実公昭６４−２９３３号公報
【発明の開示】
【発明が解決しようとする課題】
【０００４】
如上に鑑みて、本発明の技術的課題は、巻取り式スクリーン装置のスクリーンを、該装置から取外して交換するといった労力や費用をかけることなく、しかも各スクリーンがそれぞれに対応する別々の巻取り軸に巻取られることなく、１つのスクリーンのみが巻取り軸に巻取られるようにした極めて簡易な構成で、必要に応じて所望の機能を備えた異なるスクリーンに簡単に変換できるようにした巻取り式スクリーン装置を安価に提供可能にすることにある。
また、１つの機能を有するスクリーンに他の機能を有するスクリーンを巻取り軸からの導出により付加的に重ねて張設するにあたり、上記１つの機能を有するスクリーンを建物開口部に固定的に設け、他の機能を有するスクリーンを巻取り軸から導出可能にすると、該巻取り軸からスクリーンの導出入に際して両スクリーンが相対的に摺接して摩耗する可能性があるが、本発明は、そのような問題が生じることがなく、張設スクリーンの変換に際して、スクリーン相互の摩擦が殆ど生じないようにしたスクリーン装置を提供するものである。
【課題を解決するための手段】
【０００５】
上記課題を解決するため、本発明に係る第１の巻取り式スクリーン装置は、スクリーンボックス内に回転自在に支持された巻取り軸に第１のスクリーンの一端を固定するとともに、該第１のスクリーンの外側に重ねた状態で上記巻取り軸に第２のスクリーンを巻掛け、該巻取り軸から導出される第１のスクリーンとそれに重なる第２のスクリーンの先端に第１の可動桟を取付け、その可動桟の両端を両スクリーンの導出方向の両側に配設した一対のガイド枠における第１のガイド溝にガイドさせるとともに、上記巻取り軸に巻掛けた第２のスクリーンの他方の端部に第２の可動桟を取付けて、その可動桟の両端を上記ガイド枠における第２のガイド溝にガイドさせ、上記第１及び第２のスクリーンを、該第１のスクリーンの巻取り軸に対する巻取り及び繰出しに応じて、上記第２のスクリーンのみが展張されている状態と、上記第１のスクリーンの外側に第２のスクリーンを重ねた状態で両スクリーンが展張されている状態とに変換可能に構成したことを特徴とするものである。
【０００６】
本発明に係る第１の巻取り式スクリーン装置の好ましい実施形態においては、上記第２の可動桟の下面、又は該下面に対向する開口枠面に、上記第２のスクリーンが上記第１のスクリーンの巻取りによって大径化した巻取り軸に巻掛けられた状態において、上記第２の可動桟と上記開口枠下面との間に形成される隙間を遮蔽するための遮蔽部材が付設される。
【０００７】
また、上記課題を解決するための本発明に係る第２の巻取り式スクリーン装置は、スクリーンボックス内に回転自在に支持された巻取り軸に第１のスクリーンの一端を固定するとともに、上記巻取り軸の上方に平行して支持された巻掛け軸に上記第１のスクリーンの外側に位置する状態で第２のスクリーンを巻掛け、上記巻取り軸から導出される第１のスクリーンとそれに重なる第２のスクリーンの先端に第１の可動桟を取付け、その可動桟の両端を両スクリーンの導出方向の両側に配設した一対のガイド枠における第１のガイド溝にガイドさせるとともに、上記巻掛け軸に巻掛けた第２のスクリーンの他方の端部に第２の可動桟を取付けて、その可動桟の両端を上記ガイド枠における第２のガイド溝にガイドさせ、上記第１及び第２のスクリーンを、該第１のスクリーンの巻取り軸に対する巻取り及び繰出しに応じて、上記第２のスクリーンのみが展張されている状態と、上記第１のスクリーンの外側に第２のスクリーンを重ねた状態で両スクリーンが展張されている状態とに変換可能に構成したことを特徴としている。
【０００８】
本発明に係る第１及び第２の巻取り式スクリーン装置の好ましい実施形態においては、上記巻取り軸に上記第１のスクリーンを巻取る回転付勢力をもたせたコイルスプリングを内蔵させ、上記第１及び第２の可動桟の自重を上記巻取り軸におけるコイルスプリングの回転付勢力とバランスさせることにより、該第１及び第２の可動桟を連動させた状態で任意位置に停止可能とし、あるいは、上記巻取り軸の少なくとも一方の端部側において、該巻取り軸の端部とガイド枠の下端部とに設けた転輪間にループ状のワイヤー部材を架設するとともに、該ワイヤー部材を上記第１及び第２の可動桟の端部に固定することにより、それらの可動桟の移動に対して上記巻取り軸の回転を連動可能に構成し、上記第１及び第２の可動桟の自重の調整により該第１及び第２の可動桟を連動させた状態で任意位置に停止可能に形成される。
【０００９】
また、本発明に係る第１及び第２の巻取り式スクリーン装置の他の好ましい実施形態においては、上記第１のスクリーンが花粉を殆ど透過させないメッシュの細かい花粉除けスクリーンで構成され、上記第２のスクリーンが防虫ネットで構成される。
【００１０】
上記構成を有する巻取り式スクリーン装置は、上記第１のスクリーンが巻取り軸に巻取られるのに連動して、第２のスクリーンのみが展張されている状態に変換した場合には、上記第２のスクリーンの機能のみを使用することができ、一方、第１のスクリーンの外側に第２のスクリーンを重ねた状態で両スクリーンが展張されている状態においては、主として上記第１のスクリーンの機能を使用することができ、したがって、１つの巻取り軸のみを具備するだけの極めて簡易な構成で、上記第２のスクリーンの機能のみを使用可能な状態と、主として上記第１のスクリーンの機能を使用可能な状態とに容易に変換することができる。
【発明の効果】
【００１１】
以上に詳述したように、本発明に係る巻取り式スクリーン装置によれば、巻取り式スクリーン装置のスクリーンを、該装置から取外して交換するといった労力や費用をかけることなく、しかも各スクリーンに対応する複数の巻取り軸を具備することなく、１つのスクリーンのみが巻取り軸に巻取られるようにした極めて簡易な構成で、必要に応じて所望の機能を備えた異なるスクリーンに簡単に変換できるようにした巻取り式スクリーン装置を安価に提供することができる。
また、１つの機能を有するスクリーンに他の機能を有するスクリーンを巻取り軸からの導出により付加的に重ねて張設するにあたり、上記１つの機能を有するスクリーンを建物開口部に固定的に設け、他の機能を有するスクリーンを巻取り軸から導出可能にすると、該巻取り軸からのスクリーンの導出入に際して両スクリーンが相対的に摺接して摩耗する可能性があるが、本発明は、そのような問題が生じることがなく、張設スクリーンの変換に際してスクリーン相互の摩擦が殆ど生じないように構成することができる。
【発明を実施するための最良の形態】
【００１２】
本発明に係る巻取り式スクリーン装置を実施するための最良の形態を、図面に基いて詳細に説明するに、図１〜図４は本発明に係る巻取り式スクリーン装置の第１実施例の全体的な構成を示すもので、ここでは、巻取り軸に巻回したスクリーンを上下方向に展張するようにした巻取り式スクリーン装置において、防虫機能を備えた第２のスクリーンのみが使用可能な状態と、該スクリーンに加えて主として花粉除けの機能を備えた第１のスクリーンが使用可能な状態とを、必要に応じて変換可能とした場合について示している。なお、本発明に係る巻取り式スクリーン装置は、上記花粉除けの機能を備えたスクリーンと防虫機能を備えたスクリーンの組み合わせに限定されるものではなく、目隠し、遮光、断熱、花粉除け、あるいは防虫等の機能を備えたスクリーンのうちのいずれか２つの所望の機能を備えたスクリーンを、適宜組み合わせて構成することができるのはいうまでもない。
【００１３】
上記巻取り式スクリーン装置は、図１〜図４に示すように、建物開口部、例えば窓枠やサッシの上枠に固定するためのスクリーンボックス２内に巻取り軸４を回転自在に支持させ、該巻取り軸４にメッシュの細かい花粉除けの機能を備えた第１のスクリーン６の一端を固定するとともに、該第１のスクリーン６の外側に重ねた状態で上記巻取り軸４に防虫機能を備えた第２のスクリーン８を巻掛けており、上記巻取り軸４から導出される第１のスクリーン６とそれに重なる第２のスクリーン８の先端に第１の可動桟１０を取付け、該第１の可動桟１０の両端を両スクリーン６，８の導出方向の両側に配設した一対のガイド枠１２，１４における第１のガイド溝１２Ａ，１４Ａにガイドさせている。また、上記巻取り軸４に巻取ることなく、単に巻掛けただけの上記第２のスクリーン８の他方の端部に第２の可動桟１６を取付けて、該第２の可動桟１６の両端を上記ガイド枠１２，１４における第２のガイド溝１２Ｂ，１４Ｂにガイドさせている。なお、上記第１の可動桟１０及び第２の可動桟１６は、該第１の可動桟１０に後述する操作用の取手１０ａを付設する点を除いて、同一の構造のものを使用している。
【００１４】
上記巻取り軸４には、第１のスクリーン６を巻取るための回転付勢力をもたせたコイルスプリング４ａを内蔵させ、該第１のスクリーン６の巻取り軸４に対する巻取り及び繰出しに応じて、上記第１及び第２のスクリーン６，８を、該第２のスクリーンのみが展張されている状態（図３参照）と、上記第１のスクリーンの外側に第２のスクリーンを重ねた状態で両スクリーンが展張されている状態（図２参照）とに変換可能に構成している。
【００１５】
上記第１の可動桟１０には、その室内側における中央に取手１０ａが付設されており、上記第１及び第２のスクリーン６，８の展張状態の変換のための操作を行うにあたって、該取手１０ａを利用することができるようになっている。そして、上記第１及び第２の可動桟１０，１６の自重を、上記巻取り軸４におけるコイルスプリング４ａの回転付勢力とバランスさせることにより、該第１及び第２の可動桟１０，１６を連動させた状態で上記ガイド枠１２，１４の任意位置に停止可能としている。
【００１６】
また、上記第２の可動桟１６の下面には、図２及び図３に示すように、上記第２のスクリーン８が上記第１のスクリーン６の巻取りによって大径化した巻取り軸４に巻掛けられた状態において、上記第２の可動桟１６の下面に対向する開口枠面との間に形成される隙間を遮蔽し、該隙間から虫や塵埃等が浸入するのを抑止するための遮蔽部材を構成するモヘア１８が付設されている。なお、この遮蔽部材を構成するモヘア１８は、上記第２の可動桟１６の上下方向の幅を上記隙間分だけ大きくしたものとして構成すれば、必ずしも設ける必要はないものである。
【００１７】
ここで、図においては、上記第１の可動桟１０の下面にもモヘア２０を付設した場合について示しているが、当該スクリーン装置は、その設置に際して、上記第１のスクリーン６の外側に第２のスクリーン８を重ねた状態で両スクリーン６，８が展張された状態において、上記第１の可動桟１０と開口枠面との間に可及的に隙間が形成されないように調整されるものであるが、開口枠の微小な歪み等に起因して上記可動桟１０と開口枠面との間に微小な隙間が形成されてしまう場合もあり、そのような場合には、該可動桟１０に上記モヘア２０を付設することにより、上記隙間を遮蔽することができる。なお、該隙間が虫や塵埃等を通過させない程度に微小なものである場合には、上記モヘア２０を必ずしも設ける必要がないのはいうまでもない。
【００１８】
上記一対のガイド枠１２，１４は、図２〜図４に示すように、開口部が互いに対向する室内側の第１のガイド溝１２Ａ，１４Ａ及び室外側の第２のガイド溝１２Ｂ，１４Ｂをそれぞれ備えている。なお、上記ガイド枠１２，１４は相互に対称構造に形成されており、それらの構成は実質的に同一であるから、以下の説明においては、特に説明が必要である場合を除いて、上記ガイド枠１２に関連する構成についてのみ説明するものとし、上記ガイド枠１４に関連する構成については、適宜補助符号を付して読み替えるものとして、それらの説明を省略する。
【００１９】
上記ガイド枠１２における第１のガイド溝１２Ａ内には、上記第１の可動桟１０並びに第１及び第２のスクリーン６，８の端部がそれぞれ挿入されており、該ガイド溝１２Ａの底部に上下方向に沿って設けたスリット１２ａ，１２ｂに、上記第１及び第２スクリーン６，８の端部に沿って付設した係合部材２２，２４をそれぞれ係合させている。一方、上記ガイド枠１２における第２のガイド溝１２Ｂ内には、上記第２の可動桟１６及び第２のスクリーン８の端部がそれぞれ挿入されており、該ガイド溝１２Ｂの底部に上下方向に沿って設けたスリット１２ｃに、上記第２のスクリーン８の係合部材２４を係合させている。
上記係合部材２２，２４は、図４からわかるように、布又は合成樹脂製のテープ２２ａ，２４ａの一方の側端縁に沿って、上記ガイド溝１２Ａ，１２Ｂのスリット１２ａ〜１２ｃの内縁に係合する多数の係合子２２ｂ、２４ｂをそれぞれ付設することにより構成したものであり、それらのテープ２２ａ，２４ａの他方の側端縁が上記第１及び第２のスクリーン６，８に連結されている。該係合部材２２，２４は、例えば、スライドファスナーの相互に接合される半体の一方、あるいはそれに相当するような部材をそのまま利用することができる。
【００２０】
上記構成を有する巻取り式スクリーン装置は、花粉除けの機能を備えた上記第１のスクリーン６が巻取り軸４に巻取られるのに連動して、防虫機能を備えた上記第２のスクリーン８のみが展張されている状態に変換した場合には、上記第２のスクリーン８の防虫機能のみを使用することができ、一方、第１のスクリーン６の外側に第２のスクリーン８を重ねた状態で両スクリーン６，８が展張されている状態においては、主として室外側に面している上記第１のスクリーン６の花粉除けの機能を、第２のスクリーン８による補強支持状態で使用することができ、したがって、１つの巻取り軸４のみを具備するだけの極めて簡易な構成で、上記第２のスクリーン８の防虫機能のみを使用可能な状態と、主として上記第１のスクリーン６の花粉除けの機能を使用可能な状態とに容易に変換することができる。
【００２１】
また、防虫機能を有する第２のスクリーン８に花粉除けの機能を有する第１のスクリーン６を巻取り軸４からの導出により付加的に重ねて張設するにあたり、防虫機能を有するスクリーンを建物開口部に固定的に設け、花粉除けの機能を有するスクリーンを巻取り軸から導出可能にすると、該巻取り軸からスクリーンの導出入に際して両スクリーンが相対的に摺接して摩耗する可能性があるが、本発明は、そのような問題が生じることがなく、張設スクリーンの変換に際して、スクリーン相互の摩擦が殆ど生じないように構成することができる。
しかも、１つの巻取り軸４を具備するのみの極めて簡易な構成で、必要に応じて所望の機能を備えた異なるスクリーンに簡単に変換できるようにしているので、当該巻取り式スクリーン装置からスクリーンを取外して交換するといった労力や費用をかけることなく、あるいは各スクリーンに対応する複数の巻取り軸を具備するといった構造が複雑で高価なスクリーン装置として構成することなく、当該巻取り式スクリーン装置を安価に提供することができる。
【００２２】
なお、上述した第１実施例においては、上記第２のスクリーン８が上記第１のスクリーン６の巻取りによって大径化した巻取り軸４に巻掛けられた状態において、上記第２の可動桟１６と開口枠面との間に形成される隙間を遮蔽するため、上記第２の可動桟１６の下面に遮蔽部材を構成するモヘア１８を付設した場合について記載したが、該遮蔽部材を上記モヘア１８で構成する場合に限定されるものではなく、図５及び図６に示す第２実施例の巻取り式スクリーン装置のように、上記第２の可動桟１６の下面に対向する開口枠面に遮蔽部材を構成する枠材２８を架設することにより、上記第２の可動桟１６と開口枠面との間に形成される隙間を遮蔽してもよい。なお、この遮蔽部材を構成する枠材２８は、上記第２の可動桟１６の幅を上記隙間分だけ大きくしたものとして構成すれば、必ずしも設ける必要はないのはいうまでもない。
ここで、この第２実施例の巻取り式スクリーン装置のその他の構成及び作用は、実質的に前記第１実施例と同様であるから、同一部分または相当分に同一符号を付して、それらの説明を省略する。
【００２３】
図７〜図９は本発明に係る巻取り式スクリーン装置の第３実施例を示している。
この巻取り式スクリーン装置は、スクリーンボックス２内に回転自在に支持された巻取り軸４と、該巻取り軸４の上方に平行して回転自在に支持された巻掛け軸３４とを備え、上記巻取り軸４にメッシュの細かい花粉除けの機能を備えた第１のスクリーン６の一端を固定するとともに、上記巻掛け軸３４に上記第１のスクリーン６の外側に重ねた状態で防虫機能を備えた第２のスクリーン８を巻掛け、上記巻取り軸４から導出される第１のスクリーン６とそれに重なる第２のスクリーン８の先端に第１の可動桟１０を取付け、該第１の可動桟１０の両端を両スクリーン６，８の導出方向の両側に配設した一対のガイド枠１２，１４における第１のガイド溝１２Ａ，１４Ａにガイドさせ、一方、上記巻掛け軸３４に単に巻掛けただけの第２のスクリーン８の他方の端部には第２の可動桟１６を取付けて、該第２の可動桟１６の両端を上記ガイド枠１２，１４における第２のガイド溝１２Ｂ，１４Ｂにガイドさせており、それにより、上記第１及び第２のスクリーンを、該第１のスクリーンの巻取り軸に対する巻取り及び繰出しに応じて、上記第２のスクリーンのみが展張されている状態と、上記第１のスクリーンの外側に第２のスクリーンを重ねた状態で両スクリーンが展張されている状態とに変換可能としている。
【００２４】
上述のような構成とすることにより、上記第２のスクリーン８のみが展張されている状態における該スクリーン８の展張長さが、上記第１のスクリーン６の巻取りによって大径化した巻取り軸４の巻き径に影響されないので、上記第１の可動桟１０及び第２の可動桟１６を同一構造のもので構成しても、該第２の可動桟１６の下面とそれに対向する開口枠下面との間に隙間が形成されることがなく、したがって、当該スクリーン装置の構造をより簡易化することができるので、延いては、当該スクリーン装置をより安価に提供することができる。
【００２５】
なお、上記巻取り軸４と巻掛け軸３４との間の間隔は、上記第１のスクリーン６の巻取りによって大径化した巻取り軸４が上記巻掛け軸３４に干渉することがない程度の余裕を持たせて設定されるものであるのはいうまでもない。
ここで、この第３実施例の巻取り式スクリーン装置のその他の構成及び作用は、実質的に前記第１実施例と同様であるから、同一部分または相当部分に同一符号を付して、それらの説明を省略する。
【００２６】
ここで、前述した各実施例においては、上記第１のスクリーン６を、上記巻取り軸４に第１のスクリーン６を巻取るための回転付勢力をもたせたコイルスプリング４ａを内蔵させ、上記第１及び第２の可動桟１０，１６の自重を、上記巻取り軸４におけるコイルスプリング４ａの回転付勢力とバランスさせることにより、上記第１及び第２の可動桟１０，１６を連動させた状態で任意位置に停止可能としているが、そのように構成することに限定されるものではなく、図１０及び図１１に示す第４実施例の巻取り式スクリーン装置のように構成することができる。
【００２７】
すなわち、この第４実施例の巻取り式スクリーン装置は、上記巻取り軸４の一方の端部側（図においてはガイド枠１２側）において、該巻取り軸４の端部とガイド枠１２の下端部とに設けた転輪５０ａ，５０ｂ間にループ状のワイヤー部材４８を架設するとともに、該ワイヤー部材４８を上記第１及び第２の可動桟１０，１６の端部に対し固定点４８ａ，４８ｂにおいて固定することにより、それらの可動桟１０，１６の移動に対して上記巻取り軸４の回転を連動可能に構成しており、上記第１及び第２の可動桟１０，１６の自重を調整することにより、該第１及び第２の可動桟１０，１６を連動させた状態で任意位置に停止可能としたものである。なお、上記転輪５０ａ，５０ｂ及びワイヤー部材４８による可動桟１０，１６と巻取り軸４の連動機構は、上記ガイド枠１２側のみに設ける場合に限定されず、転輪５２ａ，５２ｂとして概略的に示しているように、該転輪５０ａ，５０ｂ及びワイヤー部材４８に相当する構成をガイド枠１４側にも設けることができる。
ここで、この第４実施例の巻取り式スクリーン装置のその他の構成及び作用は、実質的に前記第１実施例と同様であるから、同一部分または相当部分に同一符号を付して、それらの説明を省略する。
【図面の簡単な説明】
【００２８】
【図１】本発明の第１実施例に係る巻取り式スクリーン装置の部分破断正面図である。
【図２】同第１及び第２のスクリーンが展張されている状態を示す側断面図である。
【図３】同第２のスクリーンのみが展張されている状態を示す側断面図である。
【図４】図２のＸ−Ｘ線における平断面図である。
【図５】本発明の第２実施例に係る巻取り式スクリーン装置における第１及び第２のスクリーンが展張されている状態を示す側断面図である。
【図６】同第２のスクリーンのみが展張されている状態を示す側断面図である。
【図７】本発明の第３実施例に係る巻取り式スクリーン装置の部分破断正面図である。
【図８】同第１及び第２のスクリーンが展張されている状態を示す側断面図である。
【図９】同第２のスクリーンのみが展張されている状態を示す側断面図である。
【図１０】本発明の第４実施例に係る巻取り式スクリーン装置の部分破断正面図である。
【図１１】同ワイヤー部材の架設態様を概念的に示す側断面図である。
【符号の説明】
【００２９】
２    スクリーンボックス
４    巻取り軸
４ｃ  コイルスプリング
６    第１のスクリーン
８    第２のスクリーン
１０    第１の可動桟
１２，１４    ガイド枠
１２Ａ，１２Ｂ，１４Ａ，１４Ｂ  ガイド溝
１６    第２の可動桟
１８，２０    モヘヤ（遮蔽部材）
２８    枠材（遮蔽部材）
３４    巻掛け軸
４８    ワイヤー部材
５０ａ，５０ｂ  転輪
【図１】
2008179958.tif 000003
【図２】
2008179958.tif 000004
【図３】
2008179958.tif 000005
【図４】
2008179958.tif 000006
【図５】
2008179958.tif 000007
【図６】
2008179958.tif 000008
【図７】
2008179958.tif 000009
【図８】
2008179958.tif 000010
【図９】
2008179958.tif 000011
【図１０】
2008179958.tif 000012
【図１１】
2008179958.tif 000013